(57)【要約】【課題】カーブしたレールを滑走可能な迫力のある滑走遊具を提供する。【解決手段】この滑走遊具８０は、レール１０の上方に形成された２本のガイド溝１２にそれぞれ固定滑車３４を掛けるとともに、下側の左右の可動滑車４４がレール１０側に押圧され、固定滑車３４と可動滑車４４とでレール１０を上下方向から挟持しながら滑走する。また、可動滑車４４を保持する押圧プレート４０はレール１０のアールに沿って回動軸４８を中心に回動する。これにより、カーブ部分においてもレール１０に対する挟持状態が良好に維持され、安全かつ円滑な滑走が可能となる。これにより、遊技者はカーブを曲がる迫力のある滑走を楽しむことができる。【選択図】図１
2019126665.tif 000002
【特許請求の範囲】
【請求項１】
断面略円形で上方に２本のガイド溝を有するレールに沿って滑走する滑走遊具であって、
前記レールを抱えるように伸びた左右のアームを有するアームプレートと、
前記ガイド溝に嵌り前記左右のアームの先側にそれぞれ設置された固定滑車と、
前記レールの下側に当接する左右の可動滑車と、
前記可動滑車が左右に設けられた押圧プレートと、
前記押圧プレートを前記レール側に押圧する押圧部と、
前記レールの軸線に対して略垂直に設けられ前記押圧プレートを回動可能に保持する回動軸と、
前記アームプレートの下端側に設けられ遊技者を吊るすための吊下部と、を有することを特徴とする滑走遊具。
【請求項２】
固定滑車と可動滑車とをそれぞれ２対有することを特徴とする請求項１記載の滑走遊具。
【請求項３】
左右の可動滑車のなす角が９０°〜１２０°であることを特徴とする請求項１または請求項２に記載の滑走遊具。
【発明の詳細な説明】
【技術分野】
【０００１】
本発明は、レールに沿って滑走する滑走遊具に関するものである。
【背景技術】
【０００２】
公園や遊戯施設、アスレチック等において、勾配の有るレールに吊下げて重力加速度を用いて滑走する滑走遊具が存在する。このような滑走遊具に関する発明として、例えば下記［特許文献１］が挙げられる。この［特許文献１］に記載の遊具は図７に示すように、角筒状のガイドレール１と、このガイドレール１に沿って滑走する滑走台車５とで構成されている。そして、滑走台車５のベース５ａには２対の車輪７が車輪軸６を介して設けられるとともに、ベース５ａの中央下面には短脚部５ｂが垂下するように設けられ、この短脚部５ｂの下端には蝶番８を介してぶら下がりハンドル２が接続している。また、ガイドレール１には下方に開口３が形成され、この開口３の両側の内底面は谷状に傾斜した車輪受面４となっている。そして、滑走台車５のベース５ａはガイドレール１内に位置して、左右の車輪７がそれぞれ車輪受面４に当接するとともに、ぶら下がりハンドル２は短脚部５ｂを介して開口３から外部に露出する。そして、遊技者はガイドレール１の最上点近傍に滑走台車５を位置させるとともに、ぶら下がりハンドル２にぶら下がることで重力加速度によってガイドレール１の最下点に向けて滑走する。
【先行技術文献】
【特許文献】
【０００３】
【特許文献１】特開平１０−８５４５８号公報
【発明の概要】
【発明が解決しようとする課題】
【０００４】
しかしながら、［特許文献１］に記載の遊具は基本的に直線にしか滑走させることができない。これは、車輪軸６が固定しているためカーブをスムーズに曲がれないことに加え、ガイドレール１にカーブが存在した場合、遊技者の体重やその時のスピードによって遠心力やバンク角度が異なり、車輪７が開口３から脱輪したり、短脚部５ｂが開口３の側壁に接触するなどして、重大な事故を引き起こす可能性があるためである。しかしながら、直線のみの滑走は単調であり、ある程度の年齢の遊技者には物足りなさを感じる場合がある。
【０００５】
本発明は上記事情に鑑みてなされたものであり、カーブしたレールを滑走可能な迫力のある滑走遊具の提供を目的とする。
【課題を解決するための手段】
【０００６】
本発明は、
（１）断面略円形で上方に２本のガイド溝１２を有するレール１０に沿って滑走する滑走遊具であって、
前記レール１０を抱えるように伸びた左右のアーム３２Ｌ、３２Ｒを有するアームプレート３０（３０ａ、３０ｂ）と、前記ガイド溝１２に嵌り前記左右のアーム３２Ｌ、３２Ｒの先側にそれぞれ設置された固定滑車３４と、前記レール１０の下側に当接する左右の可動滑車４４と、前記可動滑車４４が左右に設けられた押圧プレート４０と、前記押圧プレート４０を前記レール１０側に押圧する押圧部４６と、前記レール１０の軸線に対して略垂直に設けられ前記押圧プレート４０を回動可能に保持する回動軸４８と、前記アームプレート３０の下端側に設けられ遊技者を吊るすための吊下部５０と、を有することを特徴とする滑走遊具８０を提供することにより、上記課題を解決する。
（２）固定滑車３４と可動滑車４４とをそれぞれ２対有することを特徴とする上記（１）記載の滑走遊具８０を提供することにより、上記課題を解決する。
（３）左右の可動滑車４４のなす角が９０°〜１２０°であることを特徴とする上記（１）または（２）に記載の滑走遊具８０を提供することにより、上記課題を解決する。
【発明の効果】
【０００７】
本発明に係る滑走遊具は、固定滑車と可動滑車とでレールを上下方向から挟持しながら滑走する。また、可動滑車を保持する押圧プレートはレールのアールに沿って回動する。これにより、カーブ部分においてもレールに対する挟持状態が良好に維持され、安全かつ円滑な滑走が可能となる。これにより、遊技者はカーブを曲がる迫力のある滑走を楽しむことができる。
【図面の簡単な説明】
【０００８】
【図１】本発明に係る滑走遊具の全体を示す図である。
【図２】本発明に係る滑走遊具のレールを説明する図である。
【図３】本発明に係る滑走遊具の本体部分の正面図である。
【図４】本発明に係る滑走遊具の本体部分の側面図である。
【図５】本発明に係る滑走遊具の押圧プレート部分の分解図である。
【図６】本発明に係る滑走遊具の押圧プレートの回動動作を説明する図である。
【図７】従来の滑走遊具を説明する図である。
【発明を実施するための形態】
【０００９】
本発明に係る滑走遊具８０の実施の形態について図面に基づいて説明する。本発明に係る滑走遊具８０は、図１に示すように、断面略円形のレール１０に沿って滑走可能に設けられ、このレール１０を抱えるように伸びた左右のアーム３２Ｌ、３２Ｒを備えたアームプレート３０と、このアームプレート３０の下端側に設けられた吊下部５０と、この吊下部５０に設置され遊技者を保持する遊技者吊下手段５２と、を有している。
【００１０】
次に、図２〜図６を用いて本発明に係る滑走遊具８０をさらに詳しく説明する。先ず、本発明に適用されるレール１０は、図２に示すように断面が略円形であり、その直径は１０ｃｍ〜１５ｃｍ程度となっている。そして、このレール１０の上方にはレール１０の軸線と平行な２本のガイド溝１２が形成されている。尚、このガイド溝１２は断面の曲率半径が１０ｍｍ〜２０ｍｍ程度の円弧で形成することが好ましい。そして、左右のガイド溝１２の間には所定の間隔で吊バー１４の下端が固定し、吊バー１４の上端は支柱パイプ１６に固定する。そして、この支柱パイプ１６が地面から立設した図示しない支柱に固定されることで、滑走遊具８０が滑走するレール１０の軌道が構築される。尚、この際、レール１０には全体的に勾配が設けられるとともに、カーブや所定の落差のアップダウン等が形成される。そして、レール１０の軌道上の最上点近傍をスタート地点とし最下点近傍を停止地点（終了地点）として、滑走遊具８０を重力加速度によって最上点から最下点に向けて滑走させる。このとき、レール１０はスタート地点と終了地点とを繋げてループ状とすることが好ましい。尚、最下点（終了地点）から最上点（スタート地点）への滑走遊具８０の引き上げは人力もしくは所定の動力によって行う。
【００１１】
次に、本発明に係る滑走遊具８０の本体部分に関して説明を行う。先ず、本発明に係る滑走遊具８０のアームプレート３０は、前述のようにレール１０を抱えるように伸びた左右のアーム３２Ｌ、３２Ｒを有しており、図３に示すように、アーム３２Ｌ、３２Ｒの先端の間には吊バー１４が通過する所定の間隙を有する。また、アーム３２Ｌ、３２Ｒの内側面はレール１０と略同心円の円弧で形成することが好ましく、よってアームプレート３０は上部が切り欠かれた円弧状もしくはＵ字形状を呈する。
【００１２】
また、左右のアーム３２Ｌ、３２Ｒのそれぞれの先側には固定滑車３４が設けられる。この固定滑車３４は、図４に示すように、２枚のアームプレート３０ａ、３０ｂの間に軸受プレート３４ａを架け渡して保持することが好ましい。また、固定滑車３４は、その車輪がガイド溝１２に嵌る位置に設置されるとともに、その回転軸はレール１０の直線部分の軸線に対して垂直なねじれの位置をとる。これにより固定滑車３４はガイド溝１２に当接しながら回転しガイド溝１２を軌道として滑走する。尚、固定滑車３４の車輪は周面がガイド溝１２の曲率半径と同等かこれよりも若干小さい円弧状のものを用いることが好ましい。この構成によれば、固定滑車３４とガイド溝１２とが好適にフィットして滑らかな滑走が可能となる。また、固定滑車３４の車輪は合成樹脂製のものを用いることが好ましい。この構成によれば、滑走時の振動を低減することができる。
【００１３】
また、滑走遊具８０は左右両側に可動滑車４４を備えレール１０の下側をホールドする押圧プレート４０を有している。尚、図４に示すように、可動滑車４４も２枚の押圧プレート４０の間に軸受プレート４４ａを架け渡して保持することが好ましい。また、押圧プレート４０はスプリング等の周知の弾性部材を備えた押圧部４６によってレール１０側に押圧されるとともに、可動滑車４４の回転軸は固定滑車３４と同様にレール１０の軸線と垂直なねじれの位置をとる。これにより、可動滑車４４はレール１０の下側の周面に押圧され、上側の固定滑車３４とともにレール１０を挟持すると同時に、レール１０の下側の周面と当接しながら回転し滑走する。また、可動滑車４４の車輪も固定滑車３４と同様に合成樹脂製で周面が円弧状のものを用いることが好ましい。また、図５に示す左右の可動滑車４４のなす角θ（可動滑車４４の回転軸のなす角と同一）の値は９０°〜１２０°、即ち後述の回動軸４８の軸線に対して４５°〜６０°とすることが好ましく５０°±２°（θ＝１００°±４°）が最も好ましい。
【００１４】
また、押圧プレート４０は、図５の分解図に示すように、レール１０の軸線に対して略垂直に設けられた回動軸４８とベアリング等の周知の軸受部材４８ａとによって回動可能に保持される。また、回動軸４８はアームプレート３０と固定した連結バー３８ａ、３８ｂの軸孔を通して固定され、これにより押圧プレート４０はアームプレート３０に対して回動可能に軸支される。
【００１５】
尚、上記のアームプレート３０の構成及び押圧プレート４０の構成は図４に示すように２セット連結し、それぞれ２対の固定滑車３４と可動滑車４４とでレール１０を挟持することが滑動の安定性の面から好ましい。この場合、内側に位置するアームプレート３０ａの下端に揺動軸５４を介して吊下部５０を回動可能に設置することが好ましい。この構成によれば、カーブ等で遊技者吊下手段５２が揺動軸５４によって揺れ、遊技者に対し更に刺激的な滑走が可能となる。
【００１６】
次に、本発明に係る滑走遊具８０の動作を説明する。先ず、レール１０は地面に立設された支柱に支柱パイプ１６及び吊バー１４を介して固定される。この際、レール１０には滑走遊具８０が取り付けられる。このときの滑走遊具８０のレール１０への取り付けは、レール１０の２本のガイド溝１２に滑走遊具８０の固定滑車３４をそれぞれ嵌め込み、また可動滑車４４がレール１０の下方と当接し押圧するように行う。これにより、固定滑車３４と可動滑車４４とはレール１０を上下で挟持しながらの滑走が可能となる。
【００１７】
そして、遊技時には先ず滑走遊具８０をレール１０の最上点近傍のスタート地点に位置させる。尚、スタート地点は地上５ｍ〜１０ｍ程度を想定している。次に、例えば係員が滑走遊具８０を保持しながら吊下部５０と接続した遊技者吊下手段５２に遊技者を固定する。尚、ここでは遊技者吊下手段５２としてボディハーネスを用いた例を示しているが、遊技者吊下手段５２に関しては特に限定はなく如何なるものを用いても良い。また、レール１０が比較的低所に設置され安全性に問題がない場合には遊技者吊下手段５２にぶら下がりバー等を用いても良い。
【００１８】
次に、滑走遊具８０を解放し自由な状態とする。これにより、滑走遊具８０はレール１０の勾配による重力加速度の作用によって最下点に向かって滑走する。この際、固定滑車３４はレール１０のガイド溝１２に嵌った状態で回転し滑走するとともに、可動滑車４４はレール１０の下方を押圧しながら回転し滑走する。よって、滑走遊具８０は固定滑車３４と可動滑車４４とでレール１０を挟持しながら滑走する。
【００１９】
また、レール１０のカーブ部分では、図６のＸ−Ｘ視模式断面図に示すように、一点鎖線で示すレール１０のアールに対応するように押圧プレート４０が回動軸４８を中心に回動する。これにより、カーブ部分においても固定滑車３４と可動滑車４４とによるレール１０の挟持は良好に維持され円滑な滑走が可能となる。そして、遊技者はレール１０のカーブによって左右に振られ迫力のある滑走を楽しむことができる。
【００２０】
以上のように、本発明に係る滑走遊具８０は、レール１０の上方に形成された２本のガイド溝１２にそれぞれ固定滑車３４を掛けるとともに、下側の左右の可動滑車４４がレール１０側に押圧され、固定滑車３４と可動滑車４４とでレール１０を上下方向から挟持しながら滑走する。また、可動滑車４４を保持する押圧プレート４０はレール１０のアールに沿って回動軸４８を中心に回動する。これにより、カーブ部分においてもレール１０に対する挟持状態が良好に維持され、安全かつ円滑な滑走が可能となる。これにより、遊技者はカーブを曲がる迫力のある滑走を楽しむことができる。
【００２１】
また、カーブの設置が可能となったことで、レール１０のルート設計の自由度が飛躍的に向上し、より迫力のあるルートの構築が可能となる。また、スタート地点と終了地点とを繋げてループ状とすることができ、滑走遊具８０を少ない労力で終了地点からスタート地点に移動することができる。これにより、滑走遊具の効率的な運用が可能となる。
【００２２】
尚、本例で示した滑走遊具８０の構成は一例であり、各部の形状、寸法、機構、デザイン等は、本発明の要旨を逸脱しない範囲で変更して実施することが可能である。
【符号の説明】
【００２３】
１０    レール
１２    ガイド溝
３０、３０ａ、３０ｂ  アームプレート
３２Ｌ、３２Ｒ  アーム
３４    固定滑車
４０    押圧プレート
４４    可動滑車
４６    押圧部
４８    回動軸
５０    吊下部
８０    滑走遊具
【図１】
2019126665.tif 000003
【図２】
2019126665.tif 000004
【図３】
2019126665.tif 000005
【図４】
2019126665.tif 000006
【図５】
2019126665.tif 000007
【図６】
2019126665.tif 000008
【図７】
2019126665.tif 000009